(57)【特許請求の範囲】
【請求項１】
本体部と、
前記本体部に一端側が回動自在に取付られる蓋部と、
前記蓋部が回動する軸の両端側に設けられて前記本体部と蓋部とを繋ぐ折畳み部と、
前記本体部、蓋部、及び折畳み部のうちの少なくとも一面に設けられた紫外線照射部と、を備え、
前記蓋部を回動させることにより、該蓋部の他端側に開口すると共に前記本体部、蓋部、及び折畳み部により囲まれたテント状空間が形成され、
前記紫外線照射部が前記テント状空間の開口側を紫外線照射することを特徴とする消臭殺菌照明装置。
【請求項２】
前記テント状空間にオゾンを噴霧するオゾン発生部を、さらに備えたことを特徴とする請求項１に記載の消臭殺菌照明装置。
【請求項３】
前記テント状空間が形成された状態で、紫外線が照射される面に対して、前記本体部、蓋部、及び折り畳み部の各縁部が略接触することを特徴とする請求項１又は請求項２に記載の消臭殺菌照明装置。
【請求項４】
前記テント状空間内にオゾンを充満させて消臭殺菌処理を施し、その後に該空間内のオゾンを分解又はその濃度を薄くする手段を備えたことを特徴とする請求項２又は請求項３に記載の消臭殺菌照明装置。
【請求項５】
前記紫外線照射部による紫外線が直接又は間接的に照射される前記テント状空間内の本体部、蓋部、及び折り畳み部の各内面のうちの少なくとも１つの内面が、紫外線を反射し易い部材で形成されていることを特徴とする請求項１乃至請求項４のいずれか一項に記載の消臭殺菌照明装置。
【発明の詳細な説明】
【技術分野】
【０００１】
本発明は、紫外線やオゾンを用いて汚れの消臭殺菌を行う消臭殺菌照明装置に関する。
【背景技術】
【０００２】
従来、建物内におけるフローリングや壁などに付着した汚れを取り除くには、洗剤などを付けた布等により拭き取っていた。しかし、フローリングの微小な隙間や、木材の微細孔に入ってしまった汚れを拭き取るのは難しく、特に、犬や猫のペット等による汚れは匂いも強く、消臭・除菌が困難な場合があった。これに対して、このような汚れを布で拭き取る方法ではなく消臭・除菌するものとして、消臭殺菌効果の高い波長を発生させる殺菌灯により、紫外線光を汚れ部分に直接照射する方法や、空気中の微生物などに対する強力な殺菌作用を有するオゾンを発生させて消臭殺菌する方法などを備えた消臭殺菌装置が知られている。
【０００３】
例えば、包装幕で囲って殺菌消毒室を仮設し、この殺菌消毒室に殺菌消毒しようとする寝具を隔離受容させた後、紫外線及びオゾンの各発生器で発生させた紫外線及びオゾンに寝具を露出させて殺菌消毒する寝具の殺菌消毒装置が知られている（例えば、特許文献１参照）。しかしながら、この装置は、ベットマットレス等の大きい寝具を殺菌消毒対象としているため、殺菌消毒室を仮設すると共に、仮設した殺菌消毒室内の空間維持のために包装幕を支持する支柱を必要とするなど、装置が複雑、かつ、大型化し、組立て設置が煩雑であると共に、設置に手間が掛かっていた。このため、例えば、室内の床や壁におけるペットによる汚れや匂いの付いた比較的狭い場所に対して消臭殺菌を行おうとすると、装置が複雑で大き過ぎるため、取り扱い難く設置に時間が掛かると共に、設置すること自体が困難なことがあった。また、小さい消臭殺菌対象でも大量の紫外線とオゾンが消費されるので、殺菌効率が低下するという問題があった。
【特許文献１】特表２００３−５１２１３４号公報
【発明の開示】
【発明が解決しようとする課題】
【０００４】
本発明は、上記の問題を解決するためになされたものであり、組立て設置を容易かつ簡単に行うことができ、小型で取り扱い易い消臭殺菌照明装置を提供することを目的とする。
【課題を解決するための手段】
【０００５】
上記目的を達成するために請求項１の発明は、本体部と、前記本体部に一端側が回動自在に取付られる蓋部と、前記蓋部が回動する軸の両端側に設けられて前記本体部と蓋部とを繋ぐ折畳み部と、前記本体部、蓋部、及び折畳み部のうちの少なくとも一面に設けられた紫外線照射部と、を備え、前記蓋部を回動させることにより、該蓋部の他端側に開口すると共に前記本体部、蓋部、及び折畳み部により囲まれたテント状空間が形成され、前記紫外線照射部が前記テント状空間の開口側を紫外線照射するものである。
【０００６】
請求項２の発明は、請求項１に記載の消臭殺菌照明装置において、前記テント状空間にオゾンを噴霧するオゾン発生部を、さらに備えたものである。
【０００７】
請求項３の発明は、請求項１又は請求項２に記載の消臭殺菌照明装置において、前記テント状空間にオゾンを噴霧するオゾン発生部を、さらに備えたものである。
【０００８】
請求項４の発明は、請求項１乃至請求項３のいずれかに記載の消臭殺菌照明装置において、前記テント状空間内にオゾンを充満させて消臭殺菌処理を施し、その後に該空間内のオゾンを分解又はその濃度を薄くする手段を備えたものである。
【０００９】
請求項５の発明は、請求項１乃至請求項４のいずれかに記載の消臭殺菌照明装置において、前記紫外線照射部による紫外線が直接又は間接的に照射される前記テント状空間内の本体部、蓋部、及び折り畳み部の各内面のうちの少なくとも１つの内面が、紫外線を反射し易い部材で形成されているものである。
【発明の効果】
【００１０】
請求項１の発明によれば、蓋部を本体部に対して開放するだけで、容易かつ簡単に汚れ面を覆うテント状空間を形成できる。また、紫外線により床面または壁面に付着したペット等による汚れや臭いを簡単に除去することができる。
【００１１】
請求項２の発明によれば、テント状空間に紫外線の照射に加え、オゾンを噴射することができるので、紫外線とオゾンとの相乗効果により消臭殺菌効果が向上する。
【００１２】
請求項３の発明によれば、テント状空間の縁部と、紫外線が照射される面とが接触されるので、テント状空間と紫外線の照射面により略密閉空間が形成され、装置外への紫外線及びオゾンの漏洩等が低減し、安全性及び消臭殺菌効率が向上する。
【００１３】
請求項４の発明によれば、オゾンによる消臭殺菌処理後に、テント状空間内のオゾンが無害化されるので、消臭殺菌処理後の作業の安全性を高めることができる。
【００１４】
請求項５の発明によれば、テント状空間の内面の紫外線に対する反射効率が高まり、紫外線を吸収し易い汚れ面に多くの紫外線を照射することができるので、消臭殺菌処理を、効率良く短時間で行うことができる。また、テント状空間部内面で紫外線を反射させて、吸収し難くできるので、その構成部材の紫外線による劣化を防ぐことができる。
【発明を実施するための最良の形態】
【００１５】
以下、本発明の第１の実施形態に係る消臭殺菌照明装置（以下、本装置という）について、図１乃至図５を参照して説明する。本装置１は、略矩形状の本体部２と、本体部２に対向する位置に配置される蓋部３と、本体部２及び蓋部３を繋ぐ折畳み部４と、本体部２の一面に設けられた消臭殺菌用の紫外線光源部（紫外線照射部）５と、オゾン発生部６と、汚れ確認用光源部７とを備える。また、紫外線光源部５、オゾン発生部６などは、電源コード３０を介して外部ＡＣ電源に接続される。
【００１６】
（本体部）
本体部２は、紫外線照射部５又はオゾン発生部６を収納又は設置するための支持体であって、蓋部３の一端が着脱及び回転自在に取り付けられる。蓋部３を本体部２に対して開放させることにより、本体部２、蓋部３、及び折畳み部４により囲まれたテント状空間部１０が形成される。このテント状空間部１０は、消臭殺菌の際、床又は壁等（床面Ａ）における消臭殺菌対象である汚れ面Ｂ上に設置される。なお、消臭殺菌する床面Ａの部材としては、フローリング、絨毯、畳など一般の住宅にある全ての種類の床材が対象となる。なお、紫外線照射部５又及びオゾン発生部６は、蓋部３又は折畳み部４に格納又はそれらの表面に設置されても構わない。
【００１７】
（蓋部）
蓋部３は、折畳み部４を折畳んで閉じたとき、本体部２上の紫外線光源部５を覆い、本体部２に略平行に接するように配設され、本体部２から開放されると、紫外線光源部５及びオゾン発生部６が露出される。
【００１８】
（折畳み部）
折畳み部４は、本体部２と蓋部３の間に設置され、図２（ａ）、（ｂ）に示されるように、蓋部３が本体部２から開放されると、テント状空間部１０が形成され、このとき、汚れの付着した部屋の床面や壁との隙間を塞いで、略密閉空間を構成する。この折畳み部４は、蓋部３を閉じるとき、図３（ａ）に示すように、折畳み部４の折畳み線４１が白矢印方向に折畳まれ、図３（ｂ）に示すように、ほぼ完全に折畳まれると、全体の厚みが薄くなり、本装置１は小型でコンパクトな形状になり、持ち運び易くなる。
【００１９】
（紫外線光源部）
紫外線光源部５は、本体部２のテント状空間部１０に臨む面に設けられ、消臭殺菌効果の高い波長を発生させる複数本の消臭殺菌用紫外線灯５１（消臭殺菌灯という）と、消臭殺菌灯５１を覆うように本体部２上に配設され平板状の光拡散部材５２とを有する。この光拡散部材５２は、その裏面側で発生された消臭殺菌灯５１の消臭殺菌用紫外線を表面側で平面的に拡散して照射する。これにより、紫外線光源部５は、面光源となる。
【００２０】
この紫外線光源部５からは、１００〜２８０ｎｍにピークを持つ紫外線（ＵＶ−Ｃ）、または、２８０〜３１５ｎｍの波長成分を持つ紫外線（ＵＶ−Ｂ）のどちらか一方の紫外線が、テント状空間部１０と床面Ａとによる略密閉空間内で、直接的、又は反射により間接的に、汚れ面Ｂに照射される。これにより、汚れ面Ｂを集中的に消臭殺菌することができる。この消臭殺菌用の紫外線は、波長区分により消臭力殺菌力が相違し、紫外線（Ｕ・Ｖ−Ｃ）は、強力な消臭殺菌を必要とする場合に、紫外線（ＵＶ−Ｂ）は、床面等を損傷させたくない場合にそれぞれ使用される。
【００２１】
（オゾン発生部）
オゾン発生部６は、例えば、対向した電極間に高周波高電圧を印加して、空気の一部をオゾン化させることによりオゾンを発生させるものであり、オゾンにより汚れを分解させて消臭殺菌する。このオゾン発生部６は、テント状空間部１０を床面Ａに設置して形成される略密閉空間にオゾンガスを噴霧する。このオゾンガスは、略密閉空間内に充満され、オゾン濃度が高められて、略密閉空間内の床面Ａを消臭殺菌する。
【００２２】
（汚れ確認用光源部）
汚れ確認用光源部７は、本体部２の端部２１に設けられユーザが汚れ位置を確認するための紫外線光を照射するものである。この紫外線は、汚れ部分に照射され、吸収されることにより可視光を励起する紫外線光（例：３１５〜４００ｎｍの波長範囲の紫外線ＵＶ−Ａ）であり、この紫外線ＵＶ−Ａは、尿素やアンモニア等で構成される汚れ部分に吸収されると、可視光を励起する。この可視光により、ユーザは汚れ部分を目で確認することができる。
【００２３】
また、汚れ確認用光源部７の光源は、砲弾型ＬＥＤを取り付けた点光源から成り、本体部２の端部２１に固定されている。また、点光源の前面にはレンズ（不図示）が取り付けられており、蓋部３を折畳んだときに、懐中電灯のように比較的に狭い範囲を効果的に照射できるようになっている。この汚れ確認用光源部７の使用状態を、図５に示す。ユーザは、蓋部３を閉じた状態の本装置１を持ち上げて汚れ確認用光源部７からの照射光Ｃで床面Ａを照らすことにより、予め汚れ面Ｂを見付けておくことができる。
【００２４】
汚れ確認用光源部７の光源を、点光源でなく細長い紫外線蛍光管として本体部２内に設置した構成としてもよい。この構成においては、テント状空間部１０を組み立てた状態で、開口面全体を略一様に汚れ確認用の紫外線を照射することができる。これにより、汚れ面Ｂを確認する際、開放状態の本装置１全体を持ち上げるだけで、汚れ面Ｂの位置を見つけることができる。
【００２５】
上記本体部２、蓋部３及び折畳み部４等の紫外線が照射されるテント状空間部１０の各内面は、紫外線を反射し易い部材で形成される。この反射部材は、例えば、金属製部材（ステンレス（例：ＳＵＳ３０４）、アルミ、アルマイト等）や金属表面処理（クロムメッキ、アルミ蒸着、金メッキ、金蒸着、銀メッキ、銀蒸着品等）や樹脂成形品（アルミなどの金属を樹脂の中に含有した金属フレークを成形したもの）等を使用できる。
【００２６】
また、テント状空間部１０の各内面は、テント状空間部１０内にオゾンが充満されるので、オゾンで劣化し難い部材で形成される。このオゾンで劣化し難い部材は、例えば、金属製部材（ＳＵＳ３０４のようなステンレス、表面を陽極酸化被膜処理したアルミニウム等）、一般磁器、アルミナ磁器、エンジニアリングプラスチック／ポリイミド樹脂（例えば、デュポン社製ベスペル、東レ・デュポン社製カプトンフィルム等）、及びＰＥＥＫ（ポリエーテルエーテルケトン、ｐｏｌｙｅｔｈｅｒｅｔｈｅｒｋｅｔｏｎｅ）樹脂（例えば、ビクトレックス・エムシー社製ベクトラ等）等を使用できる。
【００２７】
ここでは、テント状空間部１０の各内面の少なくとも１つの内面は、反射率の高いアルミニウムを表面酸化させたアルマイト処理等を施すことにより、紫外線の反射率の高い金属表面を成すと共に、オゾンによる酸化を防止できる。なお、テント状空間部１０内面の構成材料として樹脂を用いる場合は、紫外線が樹脂に直接当らないように、例えば、金属蒸着、又は紫外線吸収材の入った塗料の塗布等により、紫外線の影響を防止することができる。
【００２８】
上記のように構成された本装置１を用いた消臭殺菌の手順について説明する。まず、ユーザが目視又は、汚れ確認用光源部７により汚れ確認用紫外線を照射し、予め汚れ面Ｂの位置を見付けておく。このとき、紫外線光源部５は、ユーザの目を保護するために、オフしておく。次に、本体部２から蓋部３を開放してテント状空間部１０を形成し、このテント状空間部１０により、汚れ面Ｂを含む床面Ａを覆って密閉し、このテント状空間部１０と床面Ａとによる略密閉空間を形成する。この略密閉空間内に、紫外線光源部５をオンして消臭殺菌用の紫外線（ＵＶ−Ｂ又はＵＶ−Ｃ）を照射し、さらにオゾン発生部６をオンしてオゾンを発生させて充満させる。
【００２９】
紫外線光源部５から照射された紫外線は、上記略密閉空間内で、直接的に、又はテント状空間部１０の各内側表面で反射されながら間接的に汚れ面Ｂに到達する。従って、テント状空間部１０内の個々の内側表面の反射特性を最適化することによって、汚れ面Ｂに略均一に紫外線を照射することができる。また、オゾン発生部６から発生したオゾンガスは、数秒間でテント状空間部１０内に充満される。
【００３０】
そして、所定時間の間、上記略密閉空間内で、紫外線が照射され、オゾンガスが充満され続けると、消臭殺菌用紫外線（ＵＶ−Ｂ又はＵＶ−Ｃ）及びオゾンの作用により、汚れ面Ｂから汚れが徐々に分解される。即ち、消臭殺菌用の紫外線により、汚れ又は臭い源が消臭殺菌されると共に、オゾンガスが汚れ又は臭い源を取り囲むことにより、それらを消臭殺菌する。この消臭殺菌作用が終了したと予想される所定時間後に、テント状空間部１０を、床面Ａから外して、消臭殺菌後の汚れ面Ｂのチェックを行う。このチェックは、前記と同様に、目視、又は汚れ確認用紫外線の照射により、汚れ面Ｂにおける汚れの残り具合や分解度を確認することにより行い、確認ができなければ、同じ動作を繰返し行う。
【００３１】
また、汚れの確認時に、テント状空間部１０を床面Ａから外すと同時に、本装置１の電源が自動的にオフされ、これにより、紫外線及びオゾンの発生を中止し、人体への悪影響を防止する。消臭殺菌作業が完了したなら、折畳み部４を畳んで蓋部３を閉じればよい。
【００３２】
このように、本実施形態によれば、蓋部３を本体部２に対して開放するだけで、容易かつ簡単に汚れ面Ｂを覆うテント状空間部１０を形成することができ、従って、本装置１の組立て設置が簡単となると共に、テント状空間部１０がテント用支柱等を必要とせずに構成されるので、小型化でき、さらに取り扱い易くなる。また、紫外線により、床面または壁面に付着したペット等による汚れや臭いを、簡単に除去することができる。
【００３３】
また、テント状空間部１０に紫外線の照射に加え、オゾンを噴射することができるので、紫外線とオゾンとの相乗効果により消臭殺菌効果が向上する。また、使用しないときは、テント状空間部１０を折畳んで本装置１を小さく、コンパクトにできるので、容易に持ち運びことができる。
【００３４】
また、紫外線が照射されるテント状空間部１０の各内面を、紫外線を反射し易い部材で形成したことにより、テント状空間部１０内面の紫外線に対する反射効率が高まり、紫外線を汚れ面Ｂに集中して照射することができ、従って、効率良く短時間で消臭殺菌処理を行うことができる。また、紫外線をテント状空間部１０内面で反射させて、吸収し難くできるので、その構成部材の紫外線による劣化を防ぐことができる。
【００３５】
また、オゾンが充満されるテント状空間部１０の各内面を、オゾンで劣化され難い部材で形成することにより、例えば、消臭殺菌処理を効率良く行うために、オゾンを高濃度に噴霧した場合や、消臭殺菌を長期間実施した場合にも、部材が劣化せずに安全に使用することができる。
【００３６】
（変形例）
次に、上記実施形態に係る消臭殺菌照明装置の本体部の変形例について、図６を参照して説明する。この変形例は、本体部２の紫外線光源部５と、汚れ確認用光源部７とを一体化した点が、上記実施形態と異なり、他は同様である。
【００３７】
紫外線光源部５は、複数本の消臭殺菌灯５１から成り、汚れ確認用光源部７は、汚れ確認用紫外線を照射する複数本の汚れ確認用紫外線灯７１から成り、複数本の消臭殺菌灯５１の間に交互に設けられている。これにより、汚れ確認用光源部７が、平面状の汚れ確認用光源として形成されて紫外線光源部５の中に一体化されるので、本体部２を小型化できる。
【００３８】
（他の変形例）
次に、上記実施形態に係る消臭殺菌照明装置の本体部の他の変形例について、図７を参照して説明する。この変形例は、本体部２の紫外線光源部５と汚れ確認用光源部７とが一体化されると共に、それぞれ１本の消臭殺菌灯５１及び汚れ確認用紫外線灯７１と、それらに共通の導光部材５３とを備え、それぞれで発生する消臭殺菌用紫外線と汚れ確認用紫外線とがともに導光部材５３で導光される面光源として形成されている。
【００３９】
消臭殺菌灯５１は、本体部２の一端側に設けられ、汚れ確認用紫外線灯７１は、本体部２の他端側に設けられ、これらは両方からの光を導光する平板の導光部材５３により覆われている。この構成により、消臭殺菌灯５１及び汚れ確認用紫外線灯７１の数を減らすことができると共に、紫外線光源部５と汚れ確認用光源部７とを一体化することができ、従って、構成をさらに簡単にでき、本体部２を低コスト化、及び軽量化できる。
【００４０】
（第２の実施形態）
次に、本発明の第２の実施形態に係る消臭殺菌照明装置について、図８及び図９を参照して説明する。本装置１は、テント状空間部１０が形成された状態で、紫外線が照射される面に対して、本体部２、蓋部３、及び折畳み部４が密着して接触する接触縁部（縁部）１１乃至１３を備えている。その他の構成は、前述実施形態と同様である。
【００４１】
本体部２、蓋部３、及び折畳み部４は、テント状空間部１０の床面Ａを覆う開口周辺において、それぞれ汚れ面Ｂを含む床面Ａと密着して接触する接触縁部（縁部）１１、１２、１３と、テント状空間部１０内の気体の圧力を増減して調整する圧力調整部８をさらに備えている。
【００４２】
接触縁部１１乃至１３は、テント状空間部１０が形成された状態で、テント状空間部１０の開口部分と、床面Ａとを密着させて密閉空間を形成するためのものである。接触縁部１１乃至１３により、テント状空間部１０と床面Ａとを略密着するための構成としては、（１）接触縁部１１乃至１３自体を、ゴムパッキンのようなゴム状物質、又は起毛状物質で形成し、軟性を持たせて接触する構成、（２）圧力調整部８により、テント状空間部１０内の気体をテント状空間部１０外へ排出させてテント状空間部１０内の圧力を調整する構成、及び（３）接触縁部１１乃至１３を、水のような液体、又はクリーム状の粘性体液体等で連続させて略密着させる構成等がある。ここでは、接触縁部１１乃至１３自体をゴム状物質で形成して略密着し、かつ、圧力調整部８により、テント状空間部１０内の気圧を調整することにより着脱できるようにしている。
【００４３】
圧力調整部８は、外部とテント状空間部１０内とを通気する空気ファンを有する空気穴８１を備えている。圧力調整部８は、空気ファンにより、テント状空間部１０内部の気体を外部へ排出して気圧を下げ、空気穴８１を閉じてテント状空間部１０と床面Ａとを強く密着したり、逆に、外部の気体を内部に送入して、テント状空間部１０が床面Ａから外れ易くする。なお、圧力調整部８による圧力調整は、テント状空間部１０と外部とを通気パイプで接続し、このパイプの先に真空ポンプを設けて空気調整するようにしてもよい。
【００４４】
このように、本実施形態によれば、テント状空間部１０の接触縁部１１乃至１３と床面Ａとが密着して接触されるので、テント状空間部１０と床面Ａとにより密閉度の高い密閉空間が形成され、テント状空間部１０内から外部への紫外線及びオゾンの漏洩等を低減でき、消臭殺菌作業の安全性が高まると共に、消臭殺菌効率が向上する。
【００４５】
（第３の実施形態）
次に、本発明の第３の実施形態に係る消臭殺菌照明装置について、図１０を参照して説明する。本装置１は、テント状空間部１０内にオゾンを充満させて消臭殺菌処理を施し、その後にテント状空間部１０内のオゾンを分解又はその濃度を薄くするオゾン無害化の手段として、オゾン無害化物質投入部１５及びオゾン無害化装置部１６を備えている。その他の構成は前記実施形態と同様である。
【００４６】
オゾン無害化物質投入部１５は、テント状空間部１０内のオゾンを無害化するために、無害化物質を投入する投入口１７を有し、その投入口１７からは、オゾンを無害化する酸素や水蒸気が噴射される。テント状空間部１０内に投入する酸素や霧状物質の量はオゾン濃度センサ（不図示）の値に応じて調整する場合もある。
【００４７】
オゾン無害化装置部１６は、テント状空間部１０の外部に設けられ、テント状空間部１０内部のオゾンを取出管１８により取出して、オゾンの無害化処理を行う。このオゾン無害化装置部１６の無害化処理としては、オゾン無害化物質投入部１５による無害化処理と同じように、酸素や霧状の水と混合することにより、又は水中を通過させることにより無害化することができる。
【００４８】
本実施形態の本装置１は、消臭殺菌後に、オゾン無害化物質投入部１５によりテント状空間部１０内部に無害化物質を投入してオゾンの無害化処理を行い、オゾン無害化装置部１６によりテント状空間部１０内部からオゾンを取出して無害化処理を行う。
【００４９】
なお、テント状空間部１０からオゾン無害化装置部１６へ引き込む経路を長くしたり、オゾン無害化装置部１６の内部の経路を長くすることにより、自然にオゾン濃度が人体に悪影響を及ぼさないレベルにまで低減させることにより行うこともできる。さらに、オゾン無害化装置部１６内のオゾンが通過する経路の壁などに酸化チタンなどの光触媒コートを施し、その壁面に可視光や紫外線を照射して、触媒作用によってオゾンを分解することにより無害化することも可能である。
【００５０】
本装置１を用いた消臭殺菌の手順は、前記第１の実施形態と同じであり、所定時間の消臭殺菌が終わって本装置１の電源をオフした後、オゾン無害化物質投入部１５又はオゾン無害化装置部１６により、テント状空間部１０内に残存するオゾンガスの無害化処理を行い、この無害化処理を終わってから、汚れの落ちを確認する。すなわち、消臭殺菌後に、テント状空間部１０を汚れ面Ｂから外して行う汚れ落ちの確認作業を、密閉空間内のオゾンを無害化処理してから行う。
【００５１】
このように、本実施形態によれば、テント状空間部１０内におけるオゾンによる消臭殺菌処理後、テント状空間内のオゾンが無害化されるので、消臭殺菌処理後の作業の安全性を高めることができる。
【００５２】
（第４の実施形態）
次に、本発明の第４の実施形態に係る消臭殺菌照明装置について、図１１を参照して説明する。本装置１は、オゾンを分解又はその濃度を薄くするオゾン無害化装置部１６を本体部２に設けている。その他の構成は前述実施形態と同様である。
【００５３】
本実施形態においては、オゾン無害化装置部１６が本体部２に一体化されるので、オゾンをテント状空間部１０内からオゾン無害化装置部１６に取出す取出管１８（図１０参照）が不要になり、本装置１はよりコンパクトとなり、また低価格になる。
【００５４】
なお、本発明は上記各種の実施形態の構成に限定されるものではなく、発明の趣旨を変更しない範囲で適宜に種々の変形が可能である。本実施形態では、蓋部の一端を本体部に取り付けた状態で、蓋部を開放することによりテント状空間部を形成する例を示したが、蓋部を本体部から完全に分離させた状態で本体部と蓋部を全て折畳み部で繋いで一体化したものとすれば、折畳み部全体を伸ばしてテント状空間部の大きさを、自由度を持って形成することができる。また、被消臭殺菌場所の広さに応じて複数個の消臭殺菌照明装置を取り付けてもよい。
【図面の簡単な説明】
【００５５】
【図１】本発明の第１の実施形態に係る消臭殺菌照明装置の斜視図。
【図２】（ａ）は上記消臭殺菌照明装置の側面図、（ｂ）は同装置の断面図。
【図３】（ａ）は上記消臭殺菌照明装置の折畳み途中の側面図、（ｂ）は同装置の折畳み後の側面図。
【図４】（ａ）は上記消臭殺菌照明装置の本体部の平面図、（ｂ）は同本体部の断面図。
【図５】上記消臭殺菌照明装置の汚れ確認用光源部の使用状態を示す図。
【図６】上記第１の実施形態の変形例における本体部の平面図。
【図７】上記第１の実施形態の他の変形例における本体部の平面図。
【図８】本発明の第２の実施形態に係る消臭殺菌照明装置の斜視図。
【図９】上記消臭殺菌照明装置の断面図。
【図１０】本発明の第３の実施形態に係る消臭殺菌照明装置の斜視図。
【図１１】本発明の第４の実施形態に係る消臭殺菌照明装置の斜視図。
【符号の説明】
【００５６】
１  消臭殺菌照明装置
２  本体部
３  蓋部
４  折畳み部
５  紫外線光源部（紫外線照射部）
６  オゾン発生部
１０  テント状空間部（テント状空間）
１１、１２、１３  接触縁部（縁部）
２１  筐体（本体部）
【図１】
0004803142.tif 000002
【図２】
0004803142.tif 000003
【図３】
0004803142.tif 000004
【図４】
0004803142.tif 000005
【図５】
0004803142.tif 000006
【図６】
0004803142.tif 000007
【図７】
0004803142.tif 000008
【図８】
0004803142.tif 000009
【図９】
0004803142.tif 000010
【図１０】
0004803142.tif 000011
【図１１】
0004803142.tif 000012